(57)【要約】【課題】オフィス等の執務空間で使用される袖付机の列間の通路幅を確保するとともに、袖箱の物品収容量を維持し、かつ天板面積も、実務上充分な面積を確保して効率的な執務を行いうる袖付机を提供する。【解決手段】天板２の左右の支持体のうち、少なくとも一方を物品収容用の袖箱３を備える天板支持体４とするとともに、天板２の前縁のうち、下方に袖箱３を備える天板支持体４が設けられている前縁部分６ａ以外の前縁部分６ｂに、後方に向かって凹入部８を形成し、かつこの凹入部８を袖付机１と組合わせて使用される椅子９の背凭れ部９ａの幅よりも大きい左右方向の幅を有するものとした袖付机１とする。【選択図】図１
2007130098.tif 000002
【特許請求の範囲】
【請求項１】
天板の左右の支持体のうち、少なくとも一方を物品収容用の袖箱を備える天板支持体とするとともに、天板の前縁のうち、下方に袖箱を備える天板支持体が設けられている前縁部分以外の前縁部分に、後方に向かって凹入部を形成し、かつこの凹入部を袖付机と組合わせて使用される椅子の背凭れ部の幅よりも大きい左右方向の幅を有するものとしたことを特徴とする袖付机。
【請求項２】
凹入部における前後方向の奥行きが、机と組合わせて使用される椅子の背凭れ部が凹入部内に収容可能であるように形成したことを特徴とする請求項１記載の袖付机。
【請求項３】
袖箱を備える天板支持体の前面を、この天板支持体の上方の天板前縁と実質的に前後方向の位置を同一にしたことを特徴とする請求項１または２記載の袖付机。
【請求項４】
袖箱を、引出式収容部を備えるものとし、この引出式収容部の前面板における、前記凹入部側の側方に引出操作部を設けたことを特徴とする請求項１〜３のいずれかに記載の袖付机。
【請求項５】
天板における左右の一方にのみ、袖箱を備える天板支持体を設けるとともに、袖箱を備える天板支持体の上方の天板前縁以外の天板前縁の実質的に全体に亘って凹入部を設け、かつこの凹入部における天板前縁の全体を、天板後縁と平行に直線状にしたことを特徴とする請求項１〜４のいずれかに記載の袖付机。
【請求項６】
天板における左右両方に、袖箱を備える天板支持体を設けるとともに、両天板支持体間における天板前縁に凹入部を設けたことを特徴とする請求項１〜４のいずれかに記載の袖付机。
【発明の詳細な説明】
【技術分野】
【０００１】
本発明は、オフィス等の執務空間において使用される袖付机に関する。
【背景技術】
【０００２】
オフィス等の執務空間において使用される従来の袖付机は、長四辺形状の天板が専ら用いられている（たとえば、特許文献１）。このような袖付机を横方向に複数並べて列状とし、かつ複数列を並行に配置してレイアウトされる場合が多い。
かかる執務空間においては、一般に袖付机の列間が、通路として利用される。
【０００３】
しかし、オフィス面積の省スペース化のために、前記通路幅は狭くなり易く、特に執務者が椅子に座り、椅子を袖付机の前方に張り出している場合は、通路幅が狭くなり、通行に支障をきたし、作業能率の低下の一原因となる場合がある。
【０００４】
また、執務終了後に、椅子を、その背凭れ部が袖付机における天板の前縁に接するようにして、天板下方に収容した場合にも、椅子が袖付机よりも前方にはみ出しているため、掃除等がやり難いという問題もある。
【０００５】
一方、机上でパソコンを利用する場合、ＣＲＴモニターを使用した従前のパソコン利用形態では、天板の奥行きも、相応の大きさを必要としたが、昨今のモバイル化や液晶モニターの普及により、それほど天板の奥行きの大きさは必要としない傾向にある。
【特許文献１】特許第２７８４７１２号公報
【発明の開示】
【発明が解決しようとする課題】
【０００６】
本発明は、前記の現状に鑑み、オフィス等の執務空間で使用される袖付机の列間の通路幅を確保するとともに、袖箱の物品収容量を維持し、かつ天板面積も、実務上充分な面積を確保して効率的な執務を行いうる袖付机を提供することを目的とする。
【課題を解決するための手段】
【０００７】
上記課題は、特許請求の範囲における各請求項に示すように、下記の構成を備える発明によって解決される。
(１)  天板の左右の支持体のうち、少なくとも一方を物品収容用の袖箱を備える天板支持体とするとともに、天板の前縁のうち、下方に袖箱を備える天板支持体が設けられている前縁部分以外の前縁部分に、後方に向かって凹入部を形成し、かつこの凹入部を袖付机と組合わせて使用される椅子の背凭れ部の幅よりも大きい左右方向の幅を有するものとした袖付机とする。
【０００８】
(２)  上記(１)項において、凹入部における前後方向の奥行きが、机と組合わせて使用される椅子の背凭れ部が凹入部内に収容可能であるように形成する。
【０００９】
(３)  上記(１)項または(２)項において、袖箱を備える天板支持体の前面を、この天板支持体の上方の天板前縁と実質的に前後方向の位置を同一にする。
【００１０】
(４)  上記(１)項〜(３)項のいずれかにおいて、袖箱を、引出式収容部を備えるものとし、この引出式収容部の前面板における、前記凹入部側の側方に引出操作部を設ける。
【００１１】
(５)  上記(１)項〜(４)項のいずれかにおいて、天板における左右の一方にのみ、袖箱を備える天板支持体を設けるとともに、袖箱を備える天板支持体の上方の天板前縁以外の天板前縁の実質的に全体に亘って凹入部を設け、かつこの凹入部における天板前縁の全体を、天板後縁と平行に直線状にする。
【００１２】
(６)  上記(１)項〜(４)項のいずれかにおいて、天板における左右両方に、袖箱を備える天板支持体を設けるとともに、両天板支持体間における天板前縁に凹入部を設ける。
【発明の効果】
【００１３】
本発明によると、次のような効果が奏せられる。
請求項１記載の発明によれば、天板の前縁のうち、下方に袖箱を備える天板支持体が設けられている前縁部分以外の前縁部分に、椅子の背凭れの幅よりも大きい左右方向の幅を有する凹入部が、後方に向かって形成されており、使用者は執務中に前記凹入部に身体を接近させた姿勢で作業を行うことができるため、必然的に椅子の位置も、袖付机にその分だけ接近し、袖付机の前方の列間の通路幅を広く確保することができるとともに、袖箱の上方部分の天板には、凹入部が形成されていないことから、その奥行きを、従前と同様に大きくすることができるため、袖箱の物品収容量は従来と同様に維持され、かつ前記したように、昨今のパソコン業務はモバイル化や液晶モニターの普及により業務スタイルが変化しているため、従前の天板面積よりも多少狭くても、実務上充分な天板面積を確保して、効率的な執務を行うことができる。
【００１４】
請求項２記載の発明によれば、執務終了後に、椅子を袖付机の天板の凹入部内に収容しうるため、椅子の袖付机からの突出が殆んどなく、掃除等の際に、椅子が邪魔にならず作業が容易である。
【００１５】
請求項３記載の発明によれば、袖箱の奥行きを大きくとることができるため、袖箱の収容空間を大きく確保することができる。
【００１６】
請求項４記載の発明によれば、使用者から引出操作部までの距離が近接するため引出しの操作が向上する。
【００１７】
請求項５記載の発明によれば、凹入部における天板前縁が天板後縁と平行で直線状であるため、左右方向のうち、袖箱から離れる方向への身体の移動が容易である。
【００１８】
請求項６記載の発明によれば、左右両方の袖箱により、物品収容空間を大きく確保することができる。
【発明を実施するための最良の形態】
【００１９】
図１は、本発明の袖付机の一実施形態を示す斜視図、図２は、図１に示す袖付机と、椅子を組合わせた場合の平面図、図３は、使用状態を示す平面図である。
【００２０】
図１に示す袖付机(１)は、天板(２)における左右の支持体として、右方に袖箱(３)を備える天板支持体(４)を、左方に袖箱(３)を備えない通常の脚体(５)を、それぞれ有している。
【００２１】
天板(２)の前縁のうち、下方に袖箱(３)を備える天板支持体(４)が設けられている前縁(6a)以外の前縁(6b)部分が、後方に向かって凹入状に切り欠かれて、天板(２)の後縁(７)と平行に直線状に形成されている。
【００２２】
図２に示すように、前記凹入状に切り欠かれて形成された凹入部(８)の前後方向の奥行きの大きさＬ１は、袖付机(１)と組合わせて使用される椅子(９)の背凭れ部(9a)を収容しうる大きさとなっている。
【００２３】
図１，２に示すように、袖箱(３)を備える天板支持体(４)の前面(4a)は、この天板支持体(４)の上方の天板前縁(6a)と実質的に前後方向の位置が同一になるように配設されている。
【００２４】
図３に示すように、使用者(10)が、この袖付机(１)を使用する際には、凹入部(８)が設けられていない従前の袖付机よりも、前記凹入部(８)における前後方向の奥行きの大きさＬ１だけ、身体を凹入部(８)に接近させて使用することができる。このため、袖付机(１)前方の通路幅がその分だけ広くなる。袖付机(１)の列を、使用者(10)同士の背中が対面するようにレイアウトした場合は、前記Ｌ１の２倍程度通路幅が広くなり、その分だけ、オフィス面積を省スペース化することができる。
【００２５】
袖箱(３)は、引出式収容部を備え、この引出式収容部の前面板(3a)における、前記凹入部(８)側の側方には、サイドラッチ機構等を操作するための引出操作部(11)が設けられており、使用者(10)が操作し易いようになっている。
【００２６】
図４は、本発明の袖付机の第２実施形態である両袖タイプの袖付机(12)の斜視図、図５は、図４に示す袖付机(12)に椅子(13)を組合わせた平面図である。
【００２７】
天板(14)における左右両方に袖箱(15a)(16a)を備える天板支持体(15)(16)が設けられている。両天板支持体(15)(16)間における天板(14)の前縁(14a)に、左右幅が、椅子(13)の背凭れ部(13a)の左右幅よりも大きく、かつ奥行き幅がＬ２の凹入部(17)が設けられている。
【００２８】
第１実施形態の袖付机と同様に、凹入部(17)の奥行き幅Ｌ２は、椅子(13)の背凭れ部(13a)を収容しうる大きさとなっているため、第１実施形態の場合と同様な効果が奏せられるとともに、第１実施形態の袖付机(１)よりも、物品の収容空間を大きく確保することができる。
【図面の簡単な説明】
【００２９】
【図１】本発明の袖付机の一実施形態を示す斜視図である。
【図２】図１に示す袖付机と、椅子を組合わせた場合の平面図である。
【図３】使用状態を示す平面図である。
【図４】本発明の袖付机の第２実施形態である両袖タイプの袖付机の斜視図である。
【図５】図４に示す袖付机に椅子を組合わせた平面図である。
【符号の説明】
【００３０】
(１)袖付机
(２)天板
(３)袖箱
(3a)前面板
(４)天板支持体
(4a)前面
(５)脚体
(6a)(6b)前縁
(７)後縁
(８)凹入部
(９)椅子
(9a)背凭れ部
(10)使用者
(11)引出操作部
(12)袖付机
(13)椅子
(13a)背凭れ部
(14)天板
(14a)前縁
(15)(16)天板支持体
(15a)(16a)袖箱
(17)凹入部
【図１】
2007130098.tif 000003
【図２】
2007130098.tif 000004
【図３】
2007130098.tif 000005
【図４】
2007130098.tif 000006
【図５】
2007130098.tif 000007